(57)【要約】【課題】吸収性物品において吸収性シート部材に形成された着用者の股間部に対向する開口を大きく維持する。【解決手段】吸収性物品１では、吸収性シート部材２０の前部吸収コア２１２とバックシート２３との間に前部ポケット２６が形成され、前部ポケット２６の両側において、バックシート２３の端部がコア被覆シート２２およびサイドシート３と共に着用者とは反対側にて幅方向の内側へと折り返されてバックシート２３上に固定されることにより、長手方向に沿って伸びる一対の折り返し部２３５が形成される。これにより、前部ポケット２６から吸収性シート部材２０の開口と重なるバックシート２３の中央露出領域にかけて、バックシート２３の長手方向の強度が向上される。その結果、側壁部弾性部材３２，３５やコア部弾性部材２９の収縮により中央露出領域が長手方向に大きく収縮することが抑制され、吸収性シート部材２０の開口を大きく維持することができる。【選択図】図６
2010233797.tif 000002
【特許請求の範囲】
【請求項１】
着用者からの排泄物を受ける吸収性物品であって、
バックシートと、
前記バックシート上に重ねられて前記バックシートに接合され、着用者の股間部に対向する開口を有する吸収性シート部材と、
を備え、
前記吸収性シート部材が、
前記着用者の前側に配置される前部吸収コアと、
前記着用者の後側に配置される後部吸収コアと、
前記前部吸収コアおよび前記後部吸収コアを被覆するとともに前記前部吸収コアと前記後部吸収コアとの間に前記開口が形成された透液性のコア被覆シートと、
を備え、
前記吸収性シート部材の前記前部吸収コアおよび前記後部吸収コアのうち一方の吸収コアの周囲が、前記開口およびその周辺部を除いて前記バックシートと接合されることにより、前記一方の吸収コアと前記バックシートとの間にポケットが形成され、
前記ポケットの幅方向の両側において、前記バックシートの端部が着用者側とは反対側に折り返されて前記バックシート上に固定されることにより、前記幅方向に垂直な長手方向に沿って伸びる一対の折り返し部が形成され、前記一対の折り返し部が、前記ポケットから前記バックシートの前記開口に重なる中央露出領域まで、または、前記中央露出領域の近傍まで連続することを特徴とする吸収性物品。
【請求項２】
請求項１に記載の吸収性物品であって、
前記一方の吸収コアが前記前部吸収コアであり、
前記長手方向において前記前部吸収コアが前記後部吸収コアよりも長いことを特徴とする吸収性物品。
【請求項３】
請求項１または２に記載の吸収性物品であって、
前記一対の折り返し部から連続する一対の折り目が前記中央露出領域、または、前記中央露出領域の前記幅方向の側方に形成されていることを特徴とする吸収性物品。
【請求項４】
請求項１ないし３のいずれかに記載の吸収性物品であって、
前記一対の折り返し部が、前記ポケットの全長に亘って前記バックシート上に固定されることを特徴とする吸収性物品。
【請求項５】
請求項１ないし４のいずれかに記載の吸収性物品であって、
前記一対の折り返し部の着用者側とは反対側の面が、前記コア被覆シートまたは前記コア被覆シートから連続する他の部材により覆われるとともに前記コア被覆シートおよび前記他の部材と非接合とされることを特徴とする吸収性物品。
【請求項６】
請求項１ないし５のいずれかに記載の吸収性物品であって、
前記前部吸収コアおよび前記後部吸収コアのうち前記一方の吸収コアの前記幅方向の幅が他方の吸収コアの前記幅方向の幅よりも小さく、
前記一方の吸収コアの前記幅方向の両側端にて、前記コア被覆シートが前記バックシートと共に着用者側とは反対側に折り返されることにより前記一対の折り返し部が形成されることを特徴とする吸収性物品。
【請求項７】
請求項１ないし６のいずれかに記載の吸収性物品であって、
前記バックシートが、
撥水性または不透液性の外装シートと、
前記外装シート上に設けられた高吸収性樹脂層と、
を備えることを特徴とする吸収性物品。
【請求項８】
請求項１ないし７のいずれかに記載の吸収性物品であって、
前記吸収性シート部材上において前記長手方向のほぼ全長に亘って設けられた一対のサイドシートをさらに備え、
前記一対のサイドシートのそれぞれが、
着用者に向かって起立する側壁部と、
前記長手方向に沿って前記側壁部に接合されるとともに収縮することによりギャザーを形成する側壁部弾性部材と、
を備えることを特徴とする吸収性物品。
【請求項９】
請求項８に記載の吸収性物品であって、
前記側壁部の前記幅方向の内側の面の少なくとも一部が親水性とされることを特徴とする吸収性物品。
【請求項１０】
請求項１ないし９のいずれかに記載の吸収性物品であって、
前記吸収性シート部材が、前記開口の両側にて前記長手方向に伸びるとともに前記コア被覆シートに接合される一対のコア部弾性部材をさらに備え、
前記一対のコア部弾性部材が、少なくとも前記開口の前記幅方向の側方から前記一方の吸収コアに重なる位置まで設けられ、収縮することにより前記一方の吸収コアを他方の吸収コアに向かって引き寄せることを特徴とする吸収性物品。
【請求項１１】
請求項８または９に記載の吸収性物品であって、
前記吸収性シート部材が、前記開口の両側にて前記長手方向に伸びるとともに前記コア被覆シートに接合される一対のコア部弾性部材をさらに備え、
前記一対のコア部弾性部材が、少なくとも前記開口の前記幅方向の側方から前記一方の吸収コアに重なる位置まで設けられ、収縮することにより前記一方の吸収コアを他方の吸収コアに向かって引き寄せ、
前記吸収性シート部材および前記一対のサイドシートを前記長手方向に伸張した状態において、前記一対のコア部弾性部材のそれぞれの収縮力が、前記側壁部弾性部材の収縮力以下とされることを特徴とする吸収性物品。
【請求項１２】
請求項１ないし１１のいずれかに記載の吸収性物品であって、
前記吸収性シート部材の前記前部吸収コアおよび前記後部吸収コアのうち他方の吸収コアの周囲が、前記開口およびその周辺部を除いて前記バックシートと接合されることにより、前記他方の吸収コアと前記バックシートとの間にもう１つのポケットが形成されることを特徴とする吸収性物品。
【請求項１３】
請求項１ないし１２のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便等の排泄物が排泄された場合に、排泄物が着用者と吸収性物品との間で広がって着用者の肌に広範囲に亘って付着することを防止するため、様々な提案が行われている。
【０００３】
例えば、特許文献１の使い捨ておむつでは、股下域を中心として前後胴回り域に向かって延びている第１吸液層、第１吸液層に対向しつつ前胴回り域から股下域に向かって延びている第２吸液層、および、第１吸液層に対向しつつ後胴回り域から股下域に向かって延びている第３吸液層が設けられ、第１吸液層と第２吸液層との間のポケット、および、第１吸液層と第３吸液層との間のポケットに大便が収容される。特許文献１の使い捨ておむつでは、第２吸液層および第３吸液層の股下域側の先端部近傍の部位が、長手方向に延びる一対の防漏カフの自由縁部に接合されることにより、起立した防漏カフにより第２吸液層および第３吸液層の股下域側の先端部が上方へと持ち上げられ、ポケットの開口近傍の高さが高くなる。
【０００４】
特許文献２の使い捨ておむつでは、股下域を中心として前後胴回り域に向かって延びる開口が形成されており、着用者とは反対側において当該開口を覆う袋がおむつに取り付けられる。袋は、フラップパルプと高吸収性ポリマー粒子等との混合物である吸液性コアが２枚のシートの間に挟まれた積層パネルにより形成されており、袋の側壁部は、袋の内側に向かって突出するように襞状に折り曲げられている。特許文献２の使い捨ておむつでは、大便が開口を介して袋の内部に収容されると、袋の側壁部の折り曲げられた部位が下方に延びるため、大便を着用者から遠ざけることができる。
【先行技術文献】
【特許文献】
【０００５】
【特許文献１】特許第３９６４６２４号公報
【特許文献２】特許第３８８４６２４号公報
【発明の概要】
【発明が解決しようとする課題】
【０００６】
ところで、特許文献１の使い捨ておむつでは、一対の防漏カフが弾性部材により長手方向において収縮することにより、第２吸液層と第３吸液層とが互いに向かって引き寄せられ、第２吸液層と第３吸液層との間の開口が長手方向において小さくなってしまう。このため、大便等が上記開口を介してポケットに収容されず、着用者の肌に付着してしまうおそれがある。また、第１吸液層と第２吸液層との間のポケットの高さ、および、第１吸液層と第３吸液層との間のポケットの高さが、防漏カフの起立する高さに制限されて小さくなってしまうため、開口を通過した大便等が開口から大きく離間せず、着用者の肌に付着してしまう可能性がある。特許文献２の使い捨ておむつでは、厚手の積層パネルにより形成された袋の側壁部が長手方向の全長に亘って折り曲げられているため、股下域において袋が嵩張ってしまい、使い捨ておむつの着用感が低下してしまう。
【０００７】
本発明は、上記課題に鑑みなされたものであり、吸収性物品の吸収性シート部材の開口を大きく維持することを目的としている。
【課題を解決するための手段】
【０００８】
請求項１に記載の発明は、着用者からの排泄物を受ける吸収性物品であって、バックシートと、前記バックシート上に重ねられて前記バックシートに接合され、着用者の股間部に対向する開口を有する吸収性シート部材とを備え、前記吸収性シート部材が、前記着用者の前側に配置される前部吸収コアと、前記着用者の後側に配置される後部吸収コアと、前記前部吸収コアおよび前記後部吸収コアを被覆するとともに前記前部吸収コアと前記後部吸収コアとの間に前記開口が形成された透液性のコア被覆シートとを備え、前記吸収性シート部材の前記前部吸収コアおよび前記後部吸収コアのうち一方の吸収コアの周囲が、前記開口およびその周辺部を除いて前記バックシートと接合されることにより、前記一方の吸収コアと前記バックシートとの間にポケットが形成され、前記ポケットの幅方向の両側において、前記バックシートの端部が着用者側とは反対側に折り返されて前記バックシート上に固定されることにより、前記幅方向に垂直な長手方向に沿って伸びる一対の折り返し部が形成され、前記一対の折り返し部が、前記ポケットから前記バックシートの前記開口に重なる中央露出領域まで、または、前記中央露出領域の近傍まで連続する。
【０００９】
請求項２に記載の発明は、請求項１に記載の吸収性物品であって、前記一方の吸収コアが前記前部吸収コアであり、前記長手方向において前記前部吸収コアが前記後部吸収コアよりも長い。
【００１０】
請求項３に記載の発明は、請求項１または２に記載の吸収性物品であって、前記一対の折り返し部から連続する一対の折り目が前記中央露出領域、または、前記中央露出領域の前記幅方向の側方に形成されている。
【００１１】
請求項４に記載の発明は、請求項１ないし３のいずれかに記載の吸収性物品であって、前記一対の折り返し部が、前記ポケットの全長に亘って前記バックシート上に固定される。
【００１２】
請求項５に記載の発明は、請求項１ないし４のいずれかに記載の吸収性物品であって、前記一対の折り返し部の着用者側とは反対側の面が、前記コア被覆シートまたは前記コア被覆シートから連続する他の部材により覆われるとともに前記コア被覆シートおよび前記他の部材と非接合とされる。
【００１３】
請求項６に記載の発明は、請求項１ないし５のいずれかに記載の吸収性物品であって、前記前部吸収コアおよび前記後部吸収コアのうち前記一方の吸収コアの前記幅方向の幅が他方の吸収コアの前記幅方向の幅よりも小さく、前記一方の吸収コアの前記幅方向の両側端にて、前記コア被覆シートが前記バックシートと共に着用者側とは反対側に折り返されることにより前記一対の折り返し部が形成される。
【００１４】
請求項７に記載の発明は、請求項１ないし６のいずれかに記載の吸収性物品であって、前記バックシートが、撥水性または不透液性の外装シートと、前記外装シート上に設けられた高吸収性樹脂層とを備える。
【００１５】
請求項８に記載の発明は、請求項１ないし７のいずれかに記載の吸収性物品であって、前記吸収性シート部材上において前記長手方向のほぼ全長に亘って設けられた一対のサイドシートをさらに備え、前記一対のサイドシートのそれぞれが、着用者に向かって起立する側壁部と、前記長手方向に沿って前記側壁部に接合されるとともに収縮することによりギャザーを形成する側壁部弾性部材とを備える。
【００１６】
請求項９に記載の発明は、請求項８に記載の吸収性物品であって、前記側壁部の前記幅方向の内側の面の少なくとも一部が親水性とされる。
【００１７】
請求項１０に記載の発明は、請求項１ないし９のいずれかに記載の吸収性物品であって、前記吸収性シート部材が、前記開口の両側にて前記長手方向に伸びるとともに前記コア被覆シートに接合される一対のコア部弾性部材をさらに備え、前記一対のコア部弾性部材が、少なくとも前記開口の前記幅方向の側方から前記一方の吸収コアに重なる位置まで設けられ、収縮することにより前記一方の吸収コアを他方の吸収コアに向かって引き寄せる。
【００１８】
請求項１１に記載の発明は、請求項８または９に記載の吸収性物品であって、前記吸収性シート部材が、前記開口の両側にて前記長手方向に伸びるとともに前記コア被覆シートに接合される一対のコア部弾性部材をさらに備え、前記一対のコア部弾性部材が、少なくとも前記開口の前記幅方向の側方から前記一方の吸収コアに重なる位置まで設けられ、収縮することにより前記一方の吸収コアを他方の吸収コアに向かって引き寄せ、前記吸収性シート部材および前記一対のサイドシートを前記長手方向に伸張した状態において、前記一対のコア部弾性部材のそれぞれの収縮力が、前記側壁部弾性部材の収縮力以下とされる。
【００１９】
請求項１２に記載の発明は、請求項１ないし１１のいずれかに記載の吸収性物品であって、前記吸収性シート部材の前記前部吸収コアおよび前記後部吸収コアのうち他方の吸収コアの周囲が、前記開口およびその周辺部を除いて前記バックシートと接合されることにより、前記他方の吸収コアと前記バックシートとの間にもう１つのポケットが形成される。
【００２０】
請求項１３に記載の発明は、請求項１ないし１２のいずれかに記載の吸収性物品であって、着用者が着用する外装物品の内側に取り付けられる補助吸収具である。
【発明の効果】
【００２１】
本発明では、吸収性シート部材の開口を大きく維持することができる。
【図面の簡単な説明】
【００２２】
【図１】本発明の第１実施の形態に係る吸収性物品の平面図である。
【図２】吸収性物品の断面図である。
【図３】吸収性物品の断面図である。
【図４】吸収性物品の断面図である。
【図５】吸収性物品の断面図である。
【図６】吸収性物品の断面図である。
【図７】吸収性物品の断面図である。
【図８】バックシートの底面図である。
【図９】吸収性物品の一部を拡大して示す断面図である。
【図１０】他の吸収性物品の例を示す平面図である。
【図１１】他の吸収性物品の例を示す底面図である。
【発明を実施するための形態】
【００２３】
図１は、本発明の一の実施の形態に係る吸収性物品１を広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２４】
図１に示すように、吸収性物品１は、平面視において略矩形状である略シート状の本体部２、および、本体部２の幅方向の両側（すなわち、図１中の左右方向の両側であり、後述する吸収性シート部材２０およびバックシート２３の幅方向の両側でもある。）において幅方向に垂直な長手方向のおよそ全長に亘って設けられた一対のサイドシート３を備える。
【００２５】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２６】
図２ないし図６はそれぞれ、吸収性物品１を、図１中に示す後方部２０３のＡ−Ａの位置、中間部２０２のＢ−ＢおよびＣ−Ｃの位置、並びに、前方部２０１のＤ−ＤおよびＥ−Ｅの位置にて、吸収性物品１の長手方向（すなわち、図１中の上下方向）に垂直な面で切断した断面図である。また、図７は、吸収性物品１を図１中に示すＦ−Ｆの位置にて吸収性物品１の幅方向に垂直な面で切断した断面図である。
【００２７】
図２ないし図６に示すように、一対のサイドシート３はそれぞれ、本体部２に接合される帯状の部位である接合部３３、接合部３３に連続するとともに少なくとも一部が起立する側壁部３４、側壁部３４の着用者側の端部（すなわち、自由端近傍）に長手方向に沿って接合される側壁部弾性部材３２、および、側壁部弾性部材３２から離れた位置において側壁部３４に長手方向に沿って接合される側壁部弾性部材３５を備える。本実施の形態では、各側壁部弾性部材３２は２本の弾性糸を有し、各側壁部弾性部材３５は１本の弾性糸を有する。
【００２８】
サイドシート３は、図６に示すように、側壁部弾性部材３５近傍にて幅方向の外側（すなわち、幅方向の中心線とは反対側）に折り返される。サイドシート３の折り返された部位は、長手方向の端部にて接合部３３上に重ねられて接合部３３に接合される。吸収性物品１では、側壁部３４に設けられた側壁部弾性部材３２，３５が収縮することにより、本体部２の側方において側壁部３４が着用者側に向かって起立し、着用時に着用者の足の付け根近傍に当接する立体ギャザーが形成される。また、側壁部３４が幅方向の外側に折り返されることにより、立体ギャザーが幅方向において着用者の肌の広い範囲に亘って密着する。
【００２９】
図２ないし図６に示すように、サイドシート３は、疎水性繊維（例えば、ポリプロピレン、ポリエチレン、ポリエステル、ポリアミド、ナイロン）にて形成された撥水性または不透液性の不織布３６（例えば、スパンボンド不織布やメルトブロー不織布、ＳＭＳ不織布）を、長手方向に伸びる折り曲げ線にて２つ折りにし、折り重ねられた２つの部位の間に側壁部弾性部材３２，３５を挟むとともに、不織布３６の側壁部弾性部材３５近傍の部位に長手方向に伸びる帯状の親水性不織布３７を接合することにより形成される。
【００３０】
側壁部弾性部材３２，３５としては、例えば、ポリウレタン糸、帯状のポリウレタンフィルム、糸状または帯状の天然ゴム等が用いられ、本実施の形態では、ポリウレタン糸が利用される。親水性不織布３７としては、例えば、セルロースやレーヨン、コットン等の親水性繊維にて形成された不織布、または、不織布３６を形成するものと同様の疎水性繊維の表面を界面活性剤により処理することにより透液性とされた不織布が用いられる。吸収性物品１では、親水性不織布３７が幅方向の内側に位置するように（すなわち、一対の親水性不織布３７が対向するように）、一対のサイドシート３が本体部２上に接合される。本実施の形態では、サイドシート３の側壁部３４のうち、自由端近傍の部位には親水性不織布３７は接合されておらず、親水性不織布３７は、側壁部３４の自由端から離間した位置から接合部３３側へと広がる。換言すれば、サイドシート３では、側壁部３４の幅方向の内側の面の一部が親水性とされる。
【００３１】
図１ないし図７に示すように、本体部２は、バックシート２３、および、バックシート２３上（すなわち、バックシート２３の着用者側）に重ねられて周縁部においてバックシート２３に接合される吸収性シート部材２０を備える。吸収性シート部材２０の長手方向のおよそ中央には、図１、図３、図４および図７に示すように、着用者の股間部に対向する開口２５が形成されており、開口２５の幅は、吸収性物品１の幅よりも小さくされる。バックシート２３は、吸収性シート部材２０の開口２５に重なって（すなわち、開口２５から露出して）着用者の股間部に直接対向する中央露出領域２３４を有する。
【００３２】
図１および図７に示すように、吸収性シート部材２０は、吸収性物品１の着用時に着用者の前側（腹側）に配置される前部吸収コア２１２、前部吸収コア２１２と長手方向において離間するとともに着用者の後側（背側）に配置される後部吸収コア２２２、並びに、前部吸収コア２１２および後部吸収コア２２２のそれぞれの上面および下面（すなわち、前部吸収コア２２１および後部吸収コア２２２のそれぞれの着用者側およびバックシート２３側）を被覆する透液性のコア被覆シート２２を備える。図１中では、前部吸収コア２１２および後部吸収コア２２２の輪郭を太い破線にて描いている（図１０においても同様）。
【００３３】
図１に示すように、後部吸収コア２２２の開口２５近傍のコアエッジ、および、開口２５の後部吸収コア２２２側のエッジは長手方向に関して凹状となっており、前部吸収コア２１２の開口２５近傍のコアエッジ、および、開口２５の前部吸収コア２１２側のエッジも長手方向に関して凹状となっている。前部吸収コア２１２には、コアエッジから長手方向に沿って伸びるスリット２１２２が形成されており、後部吸収コア２２２には、コアエッジから長手方向に沿って伸びるスリット２２２２が形成されている。
【００３４】
図２、並びに、図５ないし図７に示すように、コア被覆シート２２は、前部吸収コア２１２および後部吸収コア２２２のそれぞれの上面を覆う第１被覆シート２２０１、並びに、前部吸収コア２１２および後部吸収コア２２２のそれぞれの下面を覆う第２被覆シート２２０２を備える。コア被覆シート２２では、前部吸収コア２１２と後部吸収コア２２２との間に上述の開口２５が形成され、コア被覆シート２２（すなわち、第１被覆シート２２０１および第２被覆シート２２０２）の前部吸収コア２１２を覆う部位と後部吸収コア２２２を覆う部位とは、図３および図４に示すように、開口２５の幅方向の両側にて連続している。
【００３５】
吸収性シート部材２０は、また、図１ないし図６に示すように、開口２５の幅方向の両側にて長手方向に伸びる（すなわち、開口２５の幅方向の外側にて前部吸収コア２１２および後部吸収コア２２２が並ぶ方向を向いて配置される）一対のコア部弾性部材２９を備える。コア部弾性部材２９としては、例えば、ポリウレタン糸、帯状のポリウレタンフィルム、糸状または帯状の天然ゴム等が用いられ、本実施の形態では、各コア部弾性部材２９は２本のポリウレタン糸を有する。コア部弾性部材２９は、図１ないし図６に示すように、開口２５の幅方向の側方から前部吸収コア２１２の側方まで（すなわち、平面視において前部吸収コア２１２の両側端におよそ重なる位置まで）設けられ、また、開口２５の側方から後部吸収コア２２２と平面視において重なる位置まで設けられる。
【００３６】
図１および図２に示すように、コア部弾性部材２９の後部吸収コア２２２と重なる部位は、後部吸収コア２２２のバックシート２３側にて後部吸収コア２２２とコア被覆シート２２の第２被覆シート２２０２との間に配置され、伸張状態にて第２被覆シート２２０２および後部吸収コア２２２に接合される。また、図５および図６に示すように、コア部弾性部材２９の前部吸収コア２１２と重なる部位は、前部吸収コア２１２の側方エッジよりも外側に伸びるコア被覆シート２２の第１被覆シート２２０１と第２被覆シート２２０２との間に配置され、第１被覆シート２２０１および第２被覆シート２２０２に伸張状態にて接合される。
【００３７】
上述のように、前部吸収コア２１２および後部吸収コア２２２は長手方向に関して離間しているため、開口２５の幅方向の両側の領域には、前部吸収コア２１２および後部吸収コア２２２は存在しない。コア部弾性部材２９の前部吸収コア２１２と後部吸収コア２２２との間の部位は、図３および図４に示すように、第１被覆シート２２０１と第２被覆シート２２０２との間において開口２５近傍に配置され、第１被覆シート２２０１および第２被覆シート２２０２に伸張状態にて接合される。図１に示す吸収性物品１では、一対のコア部弾性部材２９が収縮することにより、前部吸収コア２１２および後部吸収コア２２２が互いに他方に向かって引き寄せられることにより、前方部２０１および後方部２０３が着用者に沿うように変形する。
【００３８】
吸収性物品１では、図１に示すように、吸収性シート部材２０および一対のサイドシート３を長手方向に伸張した状態において、一対のコア部弾性部材２９のそれぞれの収縮力（すなわち、コア部弾性部材２９の２本のポリウレタン糸の収縮力の合計）が、一対の側壁部弾性部材３２，３５のそれぞれの収縮力（すなわち、側壁部弾性部材３２の２本のポリウレタン糸および側壁部弾性部材３５の１本のポリウレタン糸の収縮力の合計）以下とされる。
【００３９】
図１に示すように、本体部２の前方部２０１の幅方向の幅は後方部２０３の幅よりも小さく、前部吸収コア２１２の幅は後部吸収コア２２２の幅よりも小さい。後方部２０３では、後部吸収コア２２２の幅が本体部２の幅にほぼ等しくされ、開口２５近傍において、後部吸収コア２２２の幅が開口２５に近づくに従って漸次減少する。吸収性物品１では、長手方向において前部吸収コア２１２が後部吸収コア２２２よりも長い。
【００４０】
前部吸収コア２１２および後部吸収コア２２２はそれぞれ、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等により包み込んで形成され、コア被覆シート２２を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。
【００４１】
図２ないし図７に示すコア被覆シート２２の第１被覆シート２２０１および第２被覆シート２２０２は、透液性のシート材料、例えば、親水性繊維により形成された不織布であり、着用者からの排泄物の水分を速やかに捕捉して前部吸収コア２１２および後部吸収コア２２２へと移動させる。コア被覆シート２２として利用される不織布は、例えば、ポイントボンド不織布やエアスルー不織布、スパンレース不織布であり、これらの不織布を形成する親水性繊維としては通常、上述のサイドシート３の親水性不織布３７と同様に、セルロースやレーヨン、コットン等が用いられる。なお、コア被覆シート２２として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００４２】
吸収性物品１では、図３および図４に示すように、開口２５の幅方向の両側において、コア被覆シート２２の第２被覆シート２２０２がバックシート２３と非接合とされることにより、コア被覆シート２２とバックシート２３との間に一対の側部ポケット２８が形成される。
【００４３】
バックシート２３は、図２ないし図７に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上（すなわち、外装シート２３１および吸収シート２３３の着用者側）に積層された親水性シート２３２を備える。図２ないし図７では、図示の都合上、吸収シート２３３を太実線にて示している。
【００４４】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４５】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４６】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４７】
バックシート２３の外装シート２３１は、図２ないし図６に示すように、本体部２の幅方向の両側において吸収性シート部材２０の第１被覆シート２２０１の側端部に接合される。また、一対のサイドシート３は、バックシート２３の外装シート２３１の外面（すなわち、着用者とは反対側の面）に接合される。
【００４８】
本体部２では、図１に示す吸収性シート部材２０の前部吸収コア２１２の周囲が、開口２５およびその周辺部を除いてバックシート２３の着用者側の面と接合されることにより、図５ないし図７に示すように、前部吸収コア２１２とバックシート２３との間（すなわち、吸収性シート部材２０の前部吸収コア２１２に対応する部位とバックシート２３との間）に前部ポケット２６が形成される。本実施の形態では、前部吸収コア２１２の周囲のうち、開口２５近傍のコアエッジがバックシート２３と非接合とされる。
【００４９】
また、吸収性シート部材２０の後部吸収コア２２２の周囲が、開口２５およびその周辺部を除いてバックシート２３の着用者側の面と接合されることにより、図２および図７に示すように、後部吸収コア２２２とバックシート２３との間に後部ポケット２７が形成される。本体部２では、好ましくは、図１に示す後部吸収コア２２２の周囲のうち開口２５から一対のコア部弾性部材２９の幅方向の外側までの部位がバックシート２３と非接合とされ、本実施の形態では、後部吸収コア２２２の周囲のうち、開口２５近傍のコアエッジを含むとともにコアエッジから本体部２の幅方向の両端部におよそ至る部位が、バックシート２３と非接合とされる。吸収性物品１では、前部ポケット２６および後部ポケット２７は、一対の側部ポケット２８と連続している。
【００５０】
図６に示すように、前方部２０１では、前部吸収コア２１２の幅方向の両側において、バックシート２３の端部２３５が、コア被覆シート２２およびサイドシート３と共に、着用者とは反対側にて幅方向の内側へと折り返され（すなわち、吸収性物品１の外部側へと折り返され）、バックシート２３の端部２３５と対向する部位上にホットメルト接着剤や熱圧着等により固定される。以下、バックシート２３の幅方向の両側の端部２３５を「折り返し部２３５」という。本実施の形態では、折り返し部２３５の幅方向の幅は、長手方向のおよそ全長に亘って一定とされる。
【００５１】
図８は、着用者とは反対側である外部側からバックシート２３を見た底面図である。図８では、吸収性シート部材２０の開口２５（図１参照）と重なる中央露出領域２３４を二点鎖線にて囲んでおり、図８中において中央露出領域２３４よりも上側に前部ポケット２６が形成され、中央露出領域２３４よりも下側に後部ポケット２７が形成されている。また、図の理解を容易にするために、折り返し部２３５に平行斜線を付す（図１１においても同様）。
【００５２】
図８に示すように、長手方向に伸びる一対の折り返し部２３５は、前部ポケット２６に重なる位置から中央露出領域２３４まで連続する。具体的には、各折り返し部２３５が、前部ポケット２６の長手方向の前端部から中央露出領域２３４と前部ポケット２６との間の境界まで（すなわち、前部ポケット２６の長手方向の全長に亘って）バックシート２３上に固定される（図５および図６参照）。さらに、中央露出領域２３４およびその側方において、バックシート２３の着用者側とは反対側に折り返された端部はバックシート２３上には固定されず、図４に示すように、前部ポケット２６から離れるに従って幅方向の外側へと広がる（すなわち、折り返しが漸次解消される）。そして、図４および図８に示すように、一対の折り返し部２３５から連続する一対の折り目２３６が中央露出領域２３４、または、中央露出領域２３４の幅方向の側方に形成される。
【００５３】
折り目２３６は、中央露出領域２３４と前部ポケット２６との間の境界上、または、当該境界の幅方向への延長線上において、吸収性物品１の側部エッジ１０１（すなわち、吸収性物品１の最も幅が大きい後方部２０３におけるエッジ）よりも幅方向の内側に位置する。また、前部ポケット２６内では、図６の左半分を拡大した図９に示すように、折り返し部２３５の着用者とは反対側の親水性シート２３２の面２３５１が、コア被覆シート２２の第２被覆シート２２０２により覆われるとともに、当該面２３５１に対向する第２被覆シート２２０２の面２２０３と非接合とされる。なお、折り返し部２３５の親水性シート２３２の面２３５１は、必ずしも第２被覆シート２２０２により覆われる必要はなく、コア被覆シート２２から連続する他の部材（例えば、サイドシート３）により覆われるとともに当該他の部材と非接合とされてもよい。
【００５４】
図１に示す吸収性物品１では、着用者から排泄された軟便等の排泄物が、開口２５を介してバックシート２３へと向かい、バックシート２３の中央露出領域２３４にて受けられる。中央露出領域２３４にて受けられた排泄物は、前部ポケット２６、側部ポケット２８および後部ポケット２７の内部空間へと移動して収容される。
【００５５】
以上に説明したように、吸収性物品１では、前部ポケット２６の幅方向の両側において、バックシート２３の端部が着用者側とは反対側に折り返されてバックシート２３上に固定されることにより、長手方向に沿って伸びる一対の折り返し部２３５が形成され、一対の折り返し部２３５が、前部ポケット２６から中央露出領域２３４と前部ポケット２６との間の境界まで連続する。これにより、前部ポケット２６から中央露出領域２３４にかけてのバックシート２３の長手方向の強度を向上することができる。
【００５６】
その結果、側壁部弾性部材３２，３５やコア部弾性部材２９の収縮により中央露出領域２３４が長手方向に大きく収縮することが抑制され、吸収性シート部材２０の開口２５を大きく維持することができるとともに、前部ポケット２６から中央露出領域２３４にかけてバックシート２３と吸収性シート部材２０との間の厚さ方向の距離を大きく維持することができる。このため、吸収性物品１では、排泄物を前部ポケット２６、側部ポケット２８および後部ポケット２７に確実に収容して保持することができ、排泄物が着用者の肌に広範囲に亘って付着することが防止される。
【００５７】
吸収性物品１では、長手方向に伸びる一対の折り返し部２３５が、前部ポケット２６に重なる位置から中央露出領域２３４の近傍まで連続するとともに、前部ポケット２６と中央露出領域２３４との間の境界よりも手前側（すなわち、前側）にてバックシート２３上への固定が解消されるように形成されてもよい。換言すれば、各折り返し部２３５は前部ポケット２６の長手方向のおよそ全長に亘ってバックシート２３上に固定される。この場合も、上記と同様に、前部ポケット２６から中央露出領域２３４にかけてのバックシート２３の長手方向の強度を向上することができ、その結果、側壁部弾性部材３２，３５やコア部弾性部材２９の収縮により中央露出領域２３４が長手方向に大きく収縮することが抑制され、吸収性シート部材２０の開口２５を大きく維持することができる。
【００５８】
なお、折り返し部２３５は、前部ポケット２６から中央露出領域２３４上まで連続して（すなわち、前部ポケット２６と中央露出領域２３４との間の境界を跨いで）設けられてもよいが、中央露出領域２３４においてバックシート２３の折り返された部位を伸ばして中央露出領域２３４と吸収性シート部材２０との間の厚さ方向の距離を大きくするという観点からは、前部ポケット２６と中央露出領域２３４との間の境界を跨ぐことなく、当該境界まで、または、当該境界よりも手前側における境界近傍まで形成されることが好ましい。
【００５９】
このように、吸収性物品１は、吸収性シート部材２０の開口２５を大きく維持して排泄物を確実に収容することができるため、使い捨ておむつ等の外装物品の内側にて着用者の肌の比較的狭い範囲を覆うとともに容易に交換可能な補助吸収具に特に適している。
【００６０】
吸収性物品１では、一対の折り返し部２３５から連続する一対の折り目２３６が中央露出領域２３４またはその側方に形成されることにより、中央露出領域２３４の長手方向の強度を向上しつつ中央露出領域２３４を吸収性シート部材２０から厚さ方向に大きく離間させることが可能とされる。このため、中央露出領域２３４にて受けられた排泄物が着用者の肌に付着することをより一層抑制することができる。また、前部ポケット２６の高さおよび後部ポケット２７の高さ（すなわち、前部吸収コア２１２とバックシート２３との間の厚さ方向の距離、および、後部吸収コア２２２とバックシート２３との間の厚さ方向の距離）を大きくすることができるため、吸収性物品１の排泄物の収容力を向上することができる。さらに、中央露出領域２３４にて受けられた排泄物が折り目２３６の幅方向の外側の部位を伝わって前部ポケット２６の前端部（すなわち、長手方向における中央露出領域２３４とは反対側の端部）の隅部まで移動するため、排泄物の収容において、前部ポケット２６全体を効率的に利用することができる。
【００６１】
上述のように、バックシート２３では、一対の折り返し部２３５が前部ポケット２６の全長に亘ってバックシート２３に接合されることにより、折り返し部２３５に連続する折り目２３６の中央露出領域２３４における長手方向の強度が向上される。その結果、中央露出領域２３４の長手方向の強度がさらに向上され、吸収性シート部材２０の開口２５をより確実に大きく維持することができる。また、前部ポケット２６内において（特に、中央露出領域２３４の近傍において）、折り返し部２３５の着用者とは反対側の面２３５１（図９参照）が、当該面２３５１に対向するコア被覆シート２２の面２２０３と非接合とされることにより、中央露出領域２３４において、折り目２３６が着用者側へと（吸収性シート部材２０に向かって）容易に立ち上がる。その結果、中央露出領域２３４の強度向上が容易に実現され、吸収性シート部材２０の開口２５の維持も容易とされる。
【００６２】
吸収性物品１では、前部吸収コア２１２の幅が後部吸収コア２２２の幅よりも小さくされ、前部吸収コア２１２の幅方向の両側端にてコア被覆シート２２がバックシート２３と共に折り返されることにより一対の折り返し部２３５が形成される。これにより、折り返し部２３５の幅方向の外側のエッジに連続する折り目２３６を、中央露出領域２３４と前部ポケット２６との間の境界上、または、当該境界の幅方向への延長線上において、確実に吸収性物品１の側部エッジ１０１よりも幅方向の内側に位置させることができる。これにより、中央露出領域２３４の長手方向の強度を確実に向上することができる。また、前部吸収コア２１２の両側端を利用して折り返し部２３５を容易に形成することができるとともに、吸収性物品１の前後の判別を容易とすることもできる。さらに、前部吸収コア２１２および後部吸収コア２２２にスリット２１２２，２２２２が設けられることにより、前部吸収コア２１２および後部吸収コア２２２が着用者側に凸状となるように変形しやすくなるため、前部ポケット２６の高さおよび後部ポケット２７の高さよりを大きくすることができる。
【００６３】
吸収性物品１では、本体部２の幅方向の両側に一対の側壁部３４が形成され、側壁部弾性部材３２，３５により側壁部３４が収縮して立体ギャザーが形成されることにより、排泄物の一部が、前部ポケット２６、側部ポケット２８および後部ポケット２７に収容されなかった場合であっても、当該排泄物の一部が着用者の脚周りから漏出することを抑制することができる。また、側壁部３４の幅方向の内側の面の一部が親水性とされることにより、軟便等が側壁部３４の内側に付着した場合に、軟便等が当該親水性の部位（すなわち、親水性不織布３７）よりも側壁部３４の自由端側へと移動することが抑制される。その結果、排泄物が着用者の脚周りから漏出することをより一層抑制することができる。さらに、側壁部弾性部材３２，３５の収縮により、前方部２０１および後方部２０３が着用者に沿うように変形するため、中間部２０２において吸収性シート部材２０とバックシート２３との間の厚さ方向の距離が大きくされる。
【００６４】
上述のように、吸収性物品１では、開口２５の両側において伸張状態にてコア被覆シート２２に接合される一対のコア部弾性部材２９が設けられており、コア部弾性部材２９が長手方向に収縮することにより、図３および図４に示すように、一対の側部ポケット２８のそれぞれにおいて、吸収性シート部材２０のコア被覆シート２２がサイドシート３および外装シート２３１と共に着用者側へと大きく立ち上がる。また、コア部弾性部材２９の収縮により、図２、図５ないし図７に示すように、前部吸収コア２１２および後部吸収コア２２２がバックシート２３から離れるように着用者側へと持ち上げられる。これにより、開口２５近傍における吸収性シート部材２０とバックシート２３との間の厚さ方向の距離を大きく維持することができる。その結果、排泄物を前部ポケット２６、側部ポケット２８および後部ポケット２７により確実に収容することができる。
【００６５】
吸収性物品１では、コア部弾性部材２９の収縮力が側壁部弾性部材３２の収縮力以下とされることにより、コア部弾性部材２９の収縮による中央露出領域２３４の長手方向の収縮が抑制される。その結果、吸収性シート部材２０の開口２５を大きく維持することができる。
【００６６】
バックシート２３では、撥水性または不透液性の外装シート２３１の着用者側に親水性シート２３２が積層されることにより、バックシート２３の中央露出領域２３４にて受けた排泄物の水分をバックシート２３上にて長手方向に迅速に拡散させ、後部ポケット２７および前部ポケット２６の内部空間へと容易に導くことができる。また、外装シート２３１の着用者側に吸収シート２３３（の高吸収性樹脂層）が設けられることにより、バックシート２３が嵩高になることを防止しつつ排泄物の水分をバックシート２３上にて固定することができる。その結果、吸収性物品１の着用感の低下が抑制されるとともに着用者の肌への排泄物の付着がさらに抑制される。
【００６７】
以上、本発明の実施の形態について説明してきたが、本発明は上記実施の形態に限定されるものではなく、様々な変更が可能である。
【００６８】
吸収性物品１では、折り返し部２３５のバックシート２３上への固定は、必ずしもホットメルト接着剤や熱圧着による必要はなく、例えば、バックシート２３の折り返し部２３５と対向する部位において、外装シート２３１上に面ファスナが設けられ、当該面ファスナのフックが折り返し部２３５と面ファスナとの間に位置するサイドシート３と係合することにより、折り返し部２３５がサイドシート３と共にバックシート２３上に固定されてもよい。また、面ファスナに代えて、粘着テープが利用されてもよい。このように、折り返し部２３５がバックシート２３上に着脱自在に固定されることにより、例えば、尿の量が比較的多いため前部ポケット２６の容量を大きくしたい場合には、図１０に示すように、バックシート２３の端部を折り返すことなく、前部ポケット２６の幅を大きくして使用することができる。
【００６９】
図１１は、吸収性物品の他の例を示すの底面図である。図１１に示す吸収性物品１ａのバックシート２３では、折り返し部２３５の幅方向の幅が、長手方向において吸収性物品１ａの中央露出領域２３４から前側へと離れるに従って漸次増大する。また、折り返し部２３５から連続する折り目２３６は、中央露出領域２３４と前部ポケット２６との間の境界上、または、当該境界の幅方向への延長線上において、吸収性物品１の側部エッジ１０１よりも幅方向の内側に位置する。このように、中央露出領域２３４またはその側方に一対の折り目２３６が形成されることにより、上記実施の形態と同様に、中央露出領域２３４の長手方向の強度を向上しつつ中央露出領域２３４を吸収性シート部材２０（図１参照）から厚さ方向に大きく離間させることが可能とされる。なお、吸収性物品では、吸収性シート部材２０の前部吸収コア２１２（図１参照）が、バックシート２３の両端部と共に折り曲げられてバックシート２３上に固定されることにより、折り返し部２３５の一部を構成してもよい。
【００７０】
上述の吸収性物品１，１ａでは、排泄物が収容されるポケットの容積を大きくするためには、吸収性シート部材２０とバックシート２３との間に前部ポケット２６および後部ポケット２７の双方が設けられることが好ましい。
【００７１】
ただし、前部吸収コア２１２および後部吸収コア２２２のうち一方の吸収コアとバックシート２３との間にポケットが形成され、他方の吸収コアとバックシート２３との間にはポケットが形成されない場合（この場合、吸収性シート部材の上記他方の吸収コアに対応する部位が、およそ全面に亘ってバックシート２３に接合される。）であっても、当該一方の吸収コアの幅方向の両側に一対の折り返し部２３５が形成されることにより、当該一方の吸収コアとバックシート２３との間のポケットから中央露出領域２３４にかけてのバックシート２３の長手方向の強度を向上することができる。これにより、吸収性シート部材２０の開口２５を大きく維持することができるとともに、上記ポケットから中央露出領域２３４にかけてバックシート２３と吸収性シート部材２０との間の厚さ方向の距離を大きく維持することができる。
【００７２】
このように、一方の吸収コアとバックシート２３との間にポケットが形成され、他方の吸収コアとバックシート２３との間にはポケットが形成されない場合、前部吸収コア２１２が上記一方の吸収コアとされて前部ポケット２６が形成されることにより、ベッド等で仰向けに寝ている状態の着用者からの排泄物を、前部ポケット２６に確実に収容することができ、排泄物が着用者の肌に広範囲に亘って付着することを防止することができる。さらに、長手方向において前部吸収コア２１２が後部吸収コア２２２よりも長くされることにより、前部ポケット２６の容積を増大させ、ベッド等で仰向けに寝ている状態の着用者からの排泄物をより確実に収容することができる。また、後部吸収コア２２２が上記一方の吸収コアとされて後部ポケット２７が形成される場合には、ベッド等で横向けに寝ている状態の着用者からの排泄物を後部ポケット２７に確実に収容することができる。
【００７３】
一対のコア部弾性部材２９は、開口２５近傍における吸収性シート部材２０とバックシート２３との間の厚さ方向の距離を大きくするという観点からは、前部吸収コア２１２に重なる位置から後部吸収コア２２２に重なる位置まで設けられることが好ましいが、必ずしも、前部吸収コア２１２に重なる位置から後部吸収コア２２２に重なる位置まで設けられる必要はなく、少なくとも開口２５の幅方向の側方から前部吸収コア２１２（すなわち、両側に折り返し部２３５が形成される吸収コア）に重なる位置まで設けられていればよい。また、コア部弾性部材２９はコア被覆シート２２に接合されていればよく、例えば、前部吸収コア２１２および後部吸収コア２２２の上側（着用者側）にて両吸収コアとコア被覆シート２２の第１被覆シート２２０１との間に接合されてもよい。
【００７４】
吸収性シート部材２０では、コア被覆シート２２は１枚のシート部材とされてもよく、この場合、当該シート部材の前部吸収コア２１２および後部吸収コア２２２の着用者側を覆う部位が第１被覆シート２２０１に相当し、前部吸収コア２１２および後部吸収コア２２２のバックシート２３側を覆う部位が第２被覆シート２２０２に相当する。また、コア被覆シート２２は、少なくとも前部吸収コア２１２および後部吸収コア２２２の着用者側を覆っていればよい。
【００７５】
バックシート２３は、少なくとも撥水性または不透液性の外装シート２３１を備えていればよく、親水性シート２３２および吸収シート２３３のいずれか一方または両方が省略されてもよい。
【００７６】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【符号の説明】
【００７７】
１，１ａ  吸収性物品
３  サイドシート
２０  吸収性シート部材
２２  コア被覆シート
２３  バックシート
２５  開口
２６  前部ポケット
２７  後部ポケット
２９  コア部弾性部材
３２，３５  側壁部弾性部材
３４  側壁部
３７  親水性不織布
２１２  前部吸収コア
２２２  後部吸収コア
２３１  外装シート
２３３  吸収シート
２３４  中央露出領域
２３５  折り返し部
２３６  折り目
２３５１  面
【図１】
2010233797.tif 000003
【図２】
2010233797.tif 000004
【図３】
2010233797.tif 000005
【図４】
2010233797.tif 000006
【図５】
2010233797.tif 000007
【図６】
2010233797.tif 000008
【図７】
2010233797.tif 000009
【図８】
2010233797.tif 000010
【図９】
2010233797.tif 000011
【図１０】
2010233797.tif 000012
【図１１】
2010233797.tif 000013